(57)【要約】【課題】ビデオ信号の印刷用途では、印刷画像に対応する画像ファイル名を印刷する仕組みが存在しない。【解決手段】画像の印刷方法として、（ａ）印刷対象に指定された画像のデータ記録用に当該画像に対応するファイル名を印刷装置内で生成する処理と、（ｂ）生成されたファイル名で、印刷対象に指定された画像の画像データを外部記憶媒体に出力する処理と、（ｃ）生成されたファイル名を、印刷対象に指定された画像と同じ紙面に配置する印刷データを生成する処理と、（ｄ）生成された印刷データを印刷デバイスに出力し、同一紙面上にファイル名を配置した画像を印刷する処理とを実行する方法を提案する。【選択図】図２
2006335053.tif 000002
【特許請求の範囲】
【請求項１】
印刷対象に指定された画像を受像紙上に印刷する印刷デバイスと、
印刷対象に指定された画像のデータ記録用にファイル名を生成するファイル名生成部と、
前記ファイル名で、印刷対象に指定された画像の画像データを外部記憶媒体に出力するインターフェースと、
前記ファイル名を、印刷対象に指定された画像と同じ紙面に配置する印刷データを生成して前記印刷デバイスに出力する画像処理部と
を有することを特徴とする印刷装置。
【請求項２】
請求項１に記載の印刷装置において、
印刷対象に指定された画像は、ビデオ信号から取り込んだフレームの全体画像又は部分画像である
ことを特徴とする印刷装置。
【請求項３】
請求項１に記載の印刷装置において、
前記ファイル名は、使用者に固有のファイル名である
ことを特徴とする印刷装置。
【請求項４】
請求項１に記載の印刷装置において、
前記ファイル名は、記録媒体に固有のファイル名である
ことを特徴とする印刷装置。
【請求項５】
請求項１に記載の印刷装置において、
前記ファイル名は、印刷日時と文字列を組み合わせである
ことを特徴とする印刷装置。
【請求項６】
請求項１に記載の印刷装置において、
印刷対象に指定された画像と同じ紙面に印刷されるファイル名は、前記ファイル名生成部で生成されたファイル名の略称である
ことを特徴とする印刷装置。
【請求項７】
請求項１に記載の印刷装置において、
ｎ個の縮小画像を１つの紙面上に配置して印刷する場合、
前記画像処理部は、ｎ個の縮小画像に対応するｎ個のファイル名を同じ紙面上に配置する印刷データを生成する
ことを特徴とする印刷装置。
【請求項８】
請求項７に記載の印刷装置において、
前記画像処理部は、ｎ個の縮小画像の紙面上での位置関係に応じた並びでファイル名を配置する
ことを特徴とする印刷装置。
【請求項９】
請求項７に記載の印刷装置において、
前記画像処理部は、個々の縮小画像の近傍位置に対応するファイル名を配置する
ことを特徴とする印刷装置。
【請求項１０】
印刷対象に指定された画像のデータ記録用に、当該画像に対応するファイル名を印刷装置内で生成する処理と、
前記ファイル名で、印刷対象に指定された画像の画像データを外部記憶媒体に出力する処理と、
前記ファイル名を、印刷対象に指定された画像と同じ紙面に配置する印刷データを生成する処理と、
生成された印刷データを印刷デバイスに出力し、同一紙面上にファイル名を配置した画像を印刷する処理と
を有することを特徴とする印刷方法
【請求項１１】
印刷対象に指定された画像のデータ記録用に、当該画像に対応するファイル名を印刷装置内で生成する処理と、
前記ファイル名で、印刷対象に指定された画像の画像データを外部記憶媒体に出力する処理と、
前記ファイル名を、印刷対象に指定された画像と同じ紙面に配置する印刷データを生成する処理と、
生成された印刷データを印刷デバイスに出力し、同一紙面上にファイル名を配置した画像を印刷する処理と
をコンピュータに実行させることを特徴とする印刷プログラム。
【発明の詳細な説明】
【技術分野】
【０００１】
発明の一つの形態は、印刷画像に対応する画像データを外部記憶媒体に記録することが可能な印刷装置に関する。また、発明の一つの形態は、この種の印刷装置で実行される印刷方法に関する。また、発明の一つの形態は、印刷装置の処理をコンピュータに実行させるプログラムに関する。
【背景技術】
【０００２】
ビデオプリンタは、ビデオ再生装置やビデオカメラ等と接続され、これら装置から入力されるビデオ信号の任意の時点の画像を印刷することができる。また、コンピュータとの接続端子を有するビデオプリンタは、コンピュータから入力されるデジタル画像を印刷することができる。
【０００３】
図１に、コンピュータ１にビデオプリンタ３と外部記録媒体５を接続した印刷システムを示す。この印刷システムでは、コンピュータ１が、印刷用の画像データと記録用の画像ファイルとを生成する。コンピュータ１は、印刷用の画像データに対応するファイル名をビデオプリンタ３に出力する。このため、ビデオプリンタ３は、印刷紙面（受像紙）に画像と共にファイル名を印刷することができる。
【特許文献１】特開平１１−２４３４６２号公報
【発明の開示】
【発明が解決しようとする課題】
【０００４】
確かに、図１に示す印刷システムの場合には、印刷画像と画像ファイルとの対応付けが容易である。従って、画像ファイルの管理や再利用を効率化できる。
しかし、このような対応付けが可能なのは、ビデオプリンタに画像データが入力される時点で既に画像ファイルが存在する場合に限られる。すなわち、ビデオ再生装置やビデオカメラ等から入力されるビデオ信号の印刷用途では、このような対応付けを実現する仕組みが検討されていなかった。
また、図１に示す印刷システムの場合でも、全画面の一部領域だけを選択的に印刷する使用態様では、全画面を対象とする画像ファイルと印刷画像との整合性が失われてしまう。
【課題を解決するための手段】
【０００５】
発明者は以上の技術課題に着目し、以下の処理を実行する印刷方法を提案する。
（ａ）印刷対象に指定された画像のデータ記録用に、当該画像に対応するファイル名を印刷装置内で生成する処理
（ｂ）生成されたファイル名で、印刷対象に指定された画像の画像データを外部記憶媒体に出力する処理
（ｃ）生成されたファイル名を、印刷対象に指定された画像と同じ紙面に配置する印刷データを生成する処理
（ｄ）生成された印刷データを印刷デバイスに出力し、同一紙面上にファイル名を配置した画像を印刷する処理
【発明の効果】
【０００６】
発明に係る印刷方法を用いれば、ビデオ信号の入力時にも印刷装置内でファイル名を生成して印刷画像と同じ紙面に印刷できる。これにより、ビデオ信号の入力時にも外部記憶媒体に記録された画像ファイルとの対応付けを実現できる。
また、全画面の一部領域だけを選択的に印刷する場合にも、外部記憶媒体に記録された画像ファイルとの対応付けを実現できる。
【発明を実施するための最良の形態】
【０００７】
以下、発明に係る技術手法の形態例を説明する。
なお、本明細書で特に図示又は記載されない部分には、当該技術分野の周知又は公知技術を適用する。
また以下に説明する形態例は、発明の一つの形態例であって、これらに限定されるものではない。
【０００８】
（Ａ）印刷システム
（Ａ−１）概念構成
図２に、形態例として説明する印刷システムの概念構成を示す。この印刷システムは、ビデオプリンタ１１にファイル名生成部１１１を搭載した構成を有する。
このファイル名生成部１１１の搭載により、ビデオ信号の入力時にも、ビデオプリンタ１１は、印刷画像と同じ紙面上にファイル名を印刷することができる。また、ビデオプリンタ１１は、このファイル名で管理する画像ファイルを外部記憶媒体２１に記憶することができる。
【０００９】
この仕組みの採用により、画像ファイルを印刷した時と同じ管理が可能になる。すなわち、印刷画像と同じ紙面に印刷されたファイル名を参照して外部記憶媒体２１に記憶された画像ファイルを検索することが可能になる。
図３に、再利用時の接続形態を示す。図３では、印刷画像に対応する画像ファイルを記録した外部記憶媒体２１をコンピュータ３１に接続した状態を示す。
このとき、外部記憶媒体２１に類似した又は同種の画像ファイルが多数記憶されていても、コンピュータ３１は、再利用したい画像ファイルのファイル名を用いて画像ファイルを一意に読み出すことができる。
【００１０】
（Ａ−２）具体例
図４に、印刷システムの具体的な構成例を示す。この印刷システムは、ビデオプリンタ１１に接続された外部記憶媒体２１、ビデオ信号源４１、モニタ５１で構成される。
外部記憶媒体２１は、リムーバブルメディアである。例えば、カード型の半導体記憶媒体を使用する。
ビデオ信号源４１は、入力信号としてのビデオ信号（例えば、ＮＴＳＣ信号、ＰＡＬ信号）をビデオプリンタ１１に供給する映像機器である。例えば、ビデオカメラやビデオ再生装置を使用する。
【００１１】
モニタ５１は、入力信号としてのビデオ信号を観察するために接続される表示デバイスである。ユーザは、モニタ５１を通じて、印刷対象とする画像を指定することができる。ここで、印刷対象とする画像の指定には、不図示のユーザーインターフェースを使用する。ユーザーインターフェースには、例えばボタン、スイッチ等の機械式の操作子を使用する。また例えば、モニタ５１に表示された操作子を使用する。
この他、モニタ５１は、印刷範囲の指定にも使用する。この形態例の場合、印刷範囲は、モニタ５１の全画面と一部領域との２種類を選択できる。
【００１２】
図５に、表示画面内の任意の位置に設定した一部領域を印刷範囲５３に設定する場合の処理イメージを示す。なお、印刷範囲の切り替えには、不図示のユーザーインターフェースが用いられる。
図５の場合、印刷範囲５３に対応する画像部分が印刷用紙（受像紙）に印刷される。また、印刷範囲５３に対応する画像データが画像ファイルとして外部記憶媒体２１に記録される。
【００１３】
次に、ビデオプリンタ１１の内部構造を説明する。ビデオプリンタ１１は、ファイル名生成部１１１、入力コネクタ１１３、Ａ／Ｄ変換器１１５、画像メモリ１１７、モニタ出力画像処理部１１９、Ｄ／Ａ変換器１２１、出力コネクタ１２３、ファイル画像処理部１２５、印画データ画像処理部１２７、コネクタ１２９、サーマルヘッド１３１で構成される。
【００１４】
ファイル名生成部１１１は、印刷対象に指定された画像のデータ記録用にファイル名を生成する処理デバイスである。
ファイル名生成部１１１は、コネクタ１２９に外部記憶媒体２１が接続されているとき動作する。ファイル名生成部１１１は、コネクタ１２９を経由して外部記憶媒体２１にアクセスし、特定のディレクトリをスキャンする。このスキャンにより、ファイル名生成部１１１は、ビデオプリンタ１１がこれまでに作成した画像ファイルの情報を取得する。
【００１５】
なお、外部記憶媒体２１にはコンピュータその他の画像機器で生成された各種のデータファイルも記録することができる。そこで、ビデオプリンタ１１は、拡張子を除く名前部分が“UP_*****”（＊は、０〜９の数値）で与えられる画像ファイルをビデオプリンタ１１が以前に作成したファイルであると判断する。これらのファイル情報が得られると、ファイル名生成部１１１は、ファイル名が重複しないようにファイル名を決定する。
【００１６】
入力コネクタ１１３は、ビデオ信号源４１との接続端子である。例えば、ＮＴＳＣ信号やＰＡＬ信号に対応するビデオ端子を使用する。
Ａ／Ｄ変換器１１５は、アナログ信号であるビデオ信号をデジタル信号に変換する処理デバイスである。デジタル信号への変換処理はサンプリングクロックに基づいて実行される。
【００１７】
画像メモリ１１７は、デジタル変換後の画像データを一時的に蓄積する記憶領域である。例えば、フレームメモリを使用する。
画像メモリ１１７には、印刷対象に指定された画像データの蓄積にも使用される。この形態例では、１つの画面上に１個、２個、４個又は８個の画像（縮小画像を含む。）の印刷が可能であるものとする。従って、画像メモリ１１７には、モニタ表示用と印刷用とで少なくとも９フレーム分の記憶容量を確保する。
【００１８】
モニタ出力画像処理部１１９は、入力中の画像をモニタ５１で確認できるように信号処理する処理デバイスである。モニタ出力画像処理部１１９は、例えばガンマ変換や階調変換その他の処理を実行する。
Ｄ／Ａ変換器１２１は、デジタル信号であるビデオ信号をアナログ信号に変換する処理デバイスである。
出力コネクタ１２３は、アナログ変換後の画像信号をモニタ５１に出力するための接続端子である。例えば、ＮＴＳＣ信号やＰＡＬ信号に対応するビデオ端子を使用する。
【００１９】
ファイル画像処理部１２５は、印刷対象に指定された画像に対応する画像データをフォーマット変換する処理デバイスである。ファイル画像処理部１２５は、例えばＪＰＥＧ形式やＴＩＦＦ形式に変換する処理を実行する。
ファイル画像処理部１２５は、変換後の画像データをファイル名生成部１１１が決定したファイル名に従って外部記憶媒体２１の特定のディレクトリに保存する。この際、画像ファイルはコネクタ１２９経由で外部記憶媒体２１に出力される。コネクタ１２９には、例えばＵＳＢを使用する。
【００２０】
印画データ画像処理部１２７は、印刷対象に指定された画像に対応する画像データとファイル名とを入力して印刷データを生成する処理デバイスである。
印画データ画像処理部１２７は、印刷画像と同じ紙面にファイル名を配置する印刷データを生成する。
サーマルヘッド１３１は、０．１ｍｍ角程度の方形抵抗体を印刷幅方向に配列した印刷デバイスである。
【００２１】
個々の方形抵抗体にはスイッチが接続されている。画像の階調に応じてスイッチをオン状態又はオフ状態に制御し、方形抵抗体の発熱温度を調整する。この発熱温度の調整により、インクの昇華（気化）量が調整される。すなわち、１ドット単位で濃度がディジタル記録される。
この印刷手法より、サーマルヘッド１３１は、画像を高精細かつ高階調で記録できる印刷ヘッドとして知られている。
因みに、昇華型リボンは、薄いＰＥＴ（ポリエチレンテレフタレート）を基材とし、その表面に色材層が塗布されているものを使用する。色材には、昇華性材料のアニリン系（シアン系）、アゾ系ａ（マゼンタ色）、キタフタロンアゾ系（イエロー色）を使用する。
【００２２】
（Ｂ）印刷動作
以下、この印刷システムで実行される印刷動作を説明する。なお、ビデオプリンタ１１には、印刷画像の記録用に外部記憶媒体２１が既に接続されているものとする。
図６〜図１５に、処理手順と関連する印刷例を示す。
ファイル名生成部１１１は、外部記憶媒体２１から画像ファイル情報を取得する（Ｓ１）。
次に、不図示の制御部が、印刷紙面の画像レイアウトを判断する。すなわち、現在の印刷設定が１分割レイアウトであるか、２分割レイアウトであるか、４分割レイアウトであるか、８分割レイアウトであるかを制御部が判断する（Ｓ２〜Ｓ４）。
１分割レイアウトであった場合（Ｓ２で肯定結果が得られた場合）、制御部は、ユーザからの取込指示に従い、任意の場面の画像データを画像メモリ１１７に保存する（Ｓ２１）。
【００２３】
ここで、ファイル名生成部１１１は、取得した画像ファイル情報を参照し、重複しないようにファイル名を生成する（Ｓ２２）。なお、ファイル名生成部１１１は、前回付与した５桁の数値を保持しており、その数値より大きい値であって既に使用されていない数値をファイル名に決定する。
決定されたファイル名は、ファイル画像処理部１２５と印画データ画像処理部１２７に与えられる。
ここで、ファイル画像処理部１２５は、通知されたファイル名を有する画像ファイルを生成する（Ｓ２３）。
【００２４】
また、印画データ画像処理部１２７は、先に決定したファイル名を余白に配置する印刷データを生成する。印刷データは、例えばファイル名に対応するビットマップデータの合成処理で生成する（Ｓ２４）。
この後、画像データはファイル画像処理部１２５を通じて外部記憶媒体２１に記録され、印刷画像とファイル名はサーマルヘッド１３１を通じて用紙上に記録される（Ｓ２５）。
図８に、１分割レイアウトに対応する印刷結果を示す。紙面左下に「File = UP_12345.JPG」なるファイル名が印刷される。
【００２５】
一方、２分割レイアウトであった場合（Ｓ３で肯定結果が得られた場合）、制御部は、ユーザからの取込指示に従い、任意の場面の画像データを画像メモリ１１７に保存する（Ｓ３１）。この保存処理は、２枚の画像が取り込まれるまで実行される（Ｓ３２）。もっとも、画像メモリ１１７に取り込まれた画像が２枚になる前でも強制印刷が指示された場合には次の処理に進む。
【００２６】
処理Ｓ３２で肯定結果が得られると、ファイル名生成部１１１は、取得した画像ファイル情報を参照し、既存のファイル名と重複しないように２つのファイル名を生成する（Ｓ３３）。
決定されたファイル名は、ファイル画像処理部１２５と印画データ画像処理部１２７に与えられる。
ファイル画像処理部１２５は、画像メモリ１１７から２つの画像データを読み出し、通知されたファイル名を有する画像ファイルに変換する（Ｓ３４）。
【００２７】
また、印画データ画像処理部１２７は、画像メモリ１１７から２つの画像データを読み出し、２つの印刷画像と対応する２つのファイル名を同一紙面内に配置した印刷データを生成する（Ｓ３５）。
この後、画像データはファイル画像処理部１２５を通じて外部記憶媒体２１に記録され、印刷画像とファイル名はサーマルヘッド１３１を通じて用紙上に記録される（Ｓ３６）。
図１０に、２分割レイアウトに対応する印刷結果を示す。紙面左下に「File1=UP_12345.JPG File2=UP_12346.JPG」なるファイル名が印刷される。
【００２８】
また、４分割レイアウトであった場合（Ｓ４で肯定結果が得られた場合）、制御部は、ユーザからの取込指示に従い、任意の場面の画像データを画像メモリ１１７に保存する（Ｓ４１）。この保存処理は、４枚の画像が取り込まれるまで実行される（Ｓ４２）。この場合も、画像メモリ１１７に取り込まれた画像が４枚になる前でも強制印刷が指示された場合には次の処理に進む。
【００２９】
処理Ｓ４２で肯定結果が得られると、ファイル名生成部１１１は、取得した画像ファイル情報を参照し、既存のファイル名と重複しないように４つのファイル名を生成する（Ｓ４３）。
決定されたファイル名は、ファイル画像処理部１２５と印画データ画像処理部１２７に与えられる。
ファイル画像処理部１２５は、画像メモリ１１７から４つの画像データを読み出し、通知されたファイル名を有する画像ファイルに変換する（Ｓ４４）。
【００３０】
また、印画データ画像処理部１２７は、画像メモリ１１７から４つの画像データを読み出し、４つの印刷画像と対応する４つのファイル名を同一紙面内に配置した印刷データを生成する（Ｓ４５）。
この後、画像データはファイル画像処理部１２５を通じて外部記憶媒体２１に記録され、印刷画像とファイル名はサーマルヘッド１３１を通じて用紙上に記録される（Ｓ４６）。
【００３１】
図１２に、４分割レイアウトに対応する印刷結果を示す。紙面左下に「File1=UP_12345.JPG File2=UP_12346.JPG File3=UP_12347.JPG
File4=UP_12348.JPG 」なるファイル名が印刷される。
ところで、実際の印刷時には、前述したように４枚の画像全ての取込前に印刷が強制される場合がある。図１３に、４分割レイアウトにおいて３枚の画像を同一紙面上に印刷する場合の印刷結果を示す。この場合、４枚目の画像位置は空欄になる。また、対応するファイル名の代わりに「ＮＯＮＥ」が印刷される。
【００３２】
また、８分割レイアウトであった場合（Ｓ４で否定結果が得られた場合）、制御部は、ユーザからの取込指示に従い、任意の場面の画像データを画像メモリ１１７に保存する（Ｓ５１）。この保存処理は、８枚の画像が取り込まれるまで実行される（Ｓ５２）。この場合も、画像メモリ１１７に取り込まれた画像が８枚になる前でも強制印刷が指示された場合には次の処理に進む。
【００３３】
処理Ｓ５２で肯定結果が得られると、ファイル名生成部１１１は、取得した画像ファイル情報を参照し、既存のファイル名と重複しないように８つのファイル名を生成する（Ｓ５３）。
決定されたファイル名は、ファイル画像処理部１２５と印画データ画像処理部１２７に与えられる。もっとも、印画データ画像処理部１２７には、ファイル名の略称が与えられる。これは、印刷スペースを考慮して事前に設定されている。
【００３４】
この形態例の場合、ファイル名の略称は、「File*」部分を略表記「F＊」に変更すること、全ファイルに共通する表記である「UP_」と拡張子「.JPG」を省略することにより生成する。もっとも、ファイル名の略称への変更は、印刷データ画像処理部１２７側で実行することもできる。
ここで、ファイル画像処理部１２５は、他のレイアウトと同様、画像メモリ１１７から８つの画像データを読み出し、通知されたファイル名を有する画像ファイルに変換する（Ｓ５４）。
【００３５】
また、印画データ画像処理部１２７は、画像メモリ１１７から８つの画像データを読み出し、８つの印刷画像と対応する８つのファイル名（略称）を同一紙面内に配置した印刷データを生成する（Ｓ５５）。
この後、画像データはファイル画像処理部１２５を通じて外部記憶媒体２１に記録され、印刷画像とファイル名はサーマルヘッド１３１を通じて用紙上に記録される（Ｓ５６）。
図１５に、８分割レイアウトに対応する印刷結果を示す。紙面左下に「F1=12341 F2=12342 F3=12343 F4=12344 F5=12345 F6=12346 F7=12347
F8=12348」なるファイル名が印刷される。
【００３６】
（Ｃ）効果
以上のように、ビデオプリンタ内でファイル名を生成するため、ビデオ信号の入力時にも外部記憶媒体２１に記録する画像ファイルと同じファイル名を印刷画像と同じ紙面に印刷することができる。これにより、印刷画像に対応する画像ファイルの再利用が必要な場合にも必要とする画像ファイルを簡単に読み出すことができる。
また、全画面の一部領域だけを選択的に印刷する場合にも、外部記憶媒体に記録された画像ファイルとの対応付けを実現できる。
【００３７】
（Ｄ）他の形態例
（ａ）前述の形態例では、入力信号としてアナログ形式のビデオ信号を入力する場合について説明した。
しかし、入力信号がデジタル形式のビデオ信号でも良い。また、他の画像機器で扱われるファイルデータでも良い。これらの場合、入力コネクタ１１３経由で入力した入力信号は画像メモリ１１７に直接入力すれば良い。
なお、入力信号が圧縮符号化されている場合には、これを復号化する信号処理回路を画像メモリ１１７の前段に配置する。
【００３８】
（ｂ）前述の形態例では、ビデオプリンタ１１にビデオ信号が入力される場合について説明した。
しかし、コンピュータその他の画像機器から画像ファイルが入力される場合にも適用できる。この場合も、ビデオプリンタ１１内で生成したファイル名で印刷画像を管理することができる。
特に、入力画像の一部領域（部分画像）を取り出して印刷する場合には、印刷画像と画像ファイルとして記録される画像の範囲を一致させることができる。この効果は、従来技術では実現できない効果である。
【００３９】
（ｃ）前述の形態例では、ビデオ信号源４１とビデオプリンタ１１との接続形態について特に記述しなかったが、これら装置間の接続は有線接続でも無線接続でも良い。無線接続は、例えば赤外線通信、無線ＬＡＮ通信、光通信等でも良い。
（ｄ）前述の形態例では、ファイル名を印刷用紙の下部余白に印刷する場合について説明した。
しかし、印刷位置はこれ以外でも構わない。例えば、上部余白、左右余白でも良い。また、図１６に示すように、個々の印刷画像の近傍位置に対応するファイル名を配置しても良い。この場合、印刷画像とファイル名との対応関係を簡単に識別できる。なお、この場合は、印刷画像との対応関係が明確であるため、前述した説明のように「File*=」や「F*」等の表記は不要となる。
【００４０】
（ｅ）前述の形態例では、印刷画像の紙面上での配置位置に応じた並び順にファイル名を印刷する場合について説明した。
しかし、ファイル名と対応する印刷画像との対応関係が明確であれば、ファイル名の並びは、印刷画像の並び順に限る必要はない。
【００４１】
（ｆ）前述の形態例では、外部記憶媒体２１をコネクタ１２９経由でビデオプリンタ１１に接続する場合について説明した。
しかし、この外部記憶媒体２１は、図１７（Ａ）に示すように、ビデオプリンタ１１に対して無線接続されても良い。
また、図１７（Ｂ）に示すように、ビデオプリンタ１１に対してネットワーク経由で接続されても良い。
これらの場合において、外部記憶媒体２１は、磁気記憶装置（例えば、ハードディスク、磁気テープ）、光記憶媒体その他の記憶媒体又は装置を用いても良い。
【００４２】
（ｇ）前述の形態例では、ファイル名を５桁の数値で与える場合について説明した。しかし、ファイル名を構成する桁数はこれに限らない。例えば、４桁でも良い。
また、ファイル名は数値列に限らない。図１８（Ａ）に示すように、文字列で与えても良い。
また、単なる文字列ではなく、図１８（Ｂ）、（Ｃ）に示すように、文字列と日付（時刻）とを組み合わせてファイル名としても良い。日付と組み合わせることで管理可能なファイル数を増やすことができる。
【００４３】
また、図１８（Ｄ）に示すように、ファイル名を使用機関ＩＤと文字列との組み合わせで発生しても良い。この場合、使用機関ＩＤは、ビデオプリンタ１１又は外部記憶媒体２１内に保存しておけば良い。使用機関ＩＤを組み合わせることで管理可能なファイル数を増やすことができる。同時に、使用機関との関連を明示することができる。使用機関ＩＤには、例えば医療、官公庁、学校、会社を区別するＩＤを使用する。
同様に、図１８（Ｅ）に示すように、ファイル名を担当部署ＩＤ又は担当課ＩＤと文字列との組み合わせで発生しても良い。例えば、医療機関であれば内科、外科等その他の診療科を識別するＩＤでも良い。
【００４４】
また、図１８（Ｆ）に示すように、ファイル名を使用者ＩＤと文字列との組み合わせで発生しても良い。例えば、医療機関であれば医療スタッフを識別するＩＤでも良い。
また、図１８（Ｇ）に示すように、プリンタＩＤと文字列との組み合わせで発生しても良い。この場合、特定のビデオプリンタとの関連性が明確になる。
また、図１８（Ｈ）に示すように、記憶媒体ＩＤと文字列との組み合わせで発生しても良い。この場合、特定の外部記憶媒体との関連性が明確になる。
【００４５】
（ｈ）前述の形態例では、ビデオプリンタ１１が１分割レイアウト、２分割レイアウト、４分割レイアウト、８分割レイアウトに対応する場合について説明した。
しかし、ビデオプリンタ１１の対応するレイアウトは１種類でも、これらのうちの一部でも良い。また、他のレイアウト印刷に対応しても良い。
（ｉ）前述の形態例では、モニタ５１がビデオプリンタ１１に対して外部接続されている場合について説明した。
しかし、モニタ５１はビデオプリンタ５１の装置本体に一体に形成されている場合にも適用できる。
【００４６】
（ｊ）前述の形態例では、印刷デバイスとして昇華型熱転写方式のサーマルヘッドを使用する場合について説明した。
しかし、印刷デバイスは、インクジェットヘッド（ラインヘッド、シリアルヘッド）でも良い。また、印刷デバイスは、印刷ヘッドを使用しないレーザープリンタでも良い。
（ｋ）前述の形態例で説明した画像処理システムは、パーソナルユースにも業務用又は産業用にも適用できる。
（ｌ）前述の形態例では、印刷装置（ビデオプリンタ１１）を単独の装置として構成する場合について説明した。
しかし、印刷装置は、複合装置でも良い。例えば、スキャナと印刷装置とを一体化した複合機（複写機）やコピー機でも良い。また例えば、データ送受信装置とプリント装置とを一体化したファクシミリ装置でも良い。また例えば、印刷装置を一体に有するワードプロセッサや電子タイプライタでも良い。また例えば、印刷装置を一体化したデジタルカメラでも良い。
【００４７】
（ｍ）前述の形態例で説明した補正データ生成プログラムは、記録媒体に格納して配布しても良い。なお、記録媒体は、磁気記憶媒体、光学式記憶媒体、半導体記憶媒体その他を含む。
（ｎ）前述の形態例には、発明の趣旨の範囲内で様々な変形例が考えられる。また、本明細書の記載に基づいて創作される各種の変形例及び応用例も考えられる。
【図面の簡単な説明】
【００４８】
【図１】印刷システムの従来例を示す図である。
【図２】印刷システムの形態例を示す図である。
【図３】外部記憶媒体に記録されている画像ファイルを再利用する際の接続形態を示す図である。
【図４】印刷システムの具体的な構成例を示す図である。
【図５】表示画面内の任意の位置に設定した一部領域を印刷範囲に設定する場合の処理イメージを示す図である。
【図６】印刷動作の実行手順を示す図である。
【図７】１分割レイアウト用の実行手順を示す図である。
【図８】１分割レイアウト用の印刷画面例を示す図である。
【図９】２分割レイアウト用の実行手順を示す図である。
【図１０】２分割レイアウト用の印刷画面例を示す図である。
【図１１】４分割レイアウト用の実行手順を示す図である。
【図１２】４分割レイアウト用の印刷画面例を示す図である。
【図１３】４分割レイアウト用の他の印刷画面例を示す図である。
【図１４】８分割レイアウト用の実行手順を示す図である。
【図１５】８分割レイアウト用の印刷画面例を示す図である。
【図１６】ファイル名の他の印刷例を示す図である。
【図１７】外部記憶媒体とビデオプリンタとの他の接続形態例を示す図である。
【図１８】ファイル名の構造例を示す図である。
【符号の説明】
【００４９】
１１      ビデオプリンタ
２１      外部記憶媒体
３１      コンピュータ
４１      ビデオ信号源
５１      モニタ
５３      印刷範囲
１１１    ファイル名生成部
１２５    ファイル画像処理部
１２７    印画データ画像処理部
１３１    サーマルヘッド
【図１】
2006335053.tif 000003
【図２】
2006335053.tif 000004
【図３】
2006335053.tif 000005
【図４】
2006335053.tif 000006
【図５】
2006335053.tif 000007
【図６】
2006335053.tif 000008
【図７】
2006335053.tif 000009
【図８】
2006335053.tif 000010
【図９】
2006335053.tif 000011
【図１０】
2006335053.tif 000012
【図１１】
2006335053.tif 000013
【図１２】
2006335053.tif 000014
【図１３】
2006335053.tif 000015
【図１４】
2006335053.tif 000016
【図１５】
2006335053.tif 000017
【図１６】
2006335053.tif 000018
【図１７】
2006335053.tif 000019
【図１８】
2006335053.tif 000020